(57)【要約】【課題】傾斜型のＩＤＴ電極部を備えた弾性波フィルタにおいて、良好なＩＰ３特性が得られる技術を提供すること。【解決手段】傾斜型のＩＤＴ電極部を含む入力側電極部及び出力側電極部と、前記入力側電極部、出力側電極部に対して、出力側電極部、入力側電極部とは夫々反対側に離れた位置に各々設けられた第１の弾性波吸収部と、入力側電極部を構成するバスバー及び出力側電極部を構成するバスバーの各々におけるＩＤＴ電極部側の縁部と、各バスバーに対してＩＤＴ電極部とは反対側に位置する圧電基板の縁部と、の間に設けられた第２の弾性波吸収部と、を備えるように弾性波フィルタを構成する。そして、前記第２の弾性波吸収部は、少なくとも入力側バスバーの長さ方向の中間部よりも出力側バスバーとは反対側の領域と、少なくとも出力側バスバーの長さ方向の中間部よりも入力側バスバーとは反対側の領域とに設ける。【選択図】図１
2016046574.tif 000002
【特許請求の範囲】
【請求項１】
圧電基板上に配置され、互に平行に配置された一対の入力側バスバーの一方から他方に向かうにつれて電極指の間隔が狭くなる傾斜型のＩＤＴ電極部を含む入力側電極部と、
前記圧電基板上に前記入力側電極部に隣接して配置され、互に平行に配置された一対の出力側バスバーの一方から他方に向かうにつれて電極指の間隔が狭くなる傾斜型のＩＤＴ電極部を含む出力側電極部と、
前記入力側電極部に対して前記出力側電極部とは反対側に離れた位置と、前記出力側電極部に対して前記入力側電極部とは反対側に離れた位置と、に各々設けられた第１の弾性波吸収部と、
前記入力側バスバー及び出力側バスバーの各々におけるＩＤＴ電極部側の縁部と、各バスバーに対してＩＤＴ電極部とは反対側に位置する圧電基板の縁部と、の間に設けられた第２の弾性波吸収部と、を備え、
前記第２の弾性波吸収部は、少なくとも出力側バスバーの長さ方向の中間部よりも入力側バスバーとは反対側の領域に設けられていることを特徴とする弾性波フィルタ。
【請求項２】
前記圧電基板は四角形状に形成され、
前記第１の弾性波吸収部は、前記圧電基板における互いに対向する左辺及び右辺に沿って各々設けられ、
前記圧電基板における前辺側の第２の弾性波吸収部は、当該前辺の長さの４０％以上の長さに亘って形成されると共に、前記圧電基板における後辺側の第２の弾性波吸収部は、当該後辺の長さの４０％以上の長さに亘って形成されていることを特徴とする請求項１記載の弾性波フィルタ。
【請求項３】
前記第２の弾性波吸収部は、前記入力側電極側の第１の弾性波吸収部の両端部から前記出力側電極側に向けて伸び出すと共に、前記出力側電極側の第１の弾性波吸収部の両端部から前記入力側電極側に向けて伸び出していることを特徴とする請求項１または２記載の弾性波フィルタ。
【請求項４】
前記第２の弾性波吸収部の一部または全部は、バスバー上に形成されていることを特徴とする請求項１ないし３のいずれか一項に記載の弾性波フィルタ。
【請求項５】
第２の弾性波吸収部は、前記バスバーと、バスバーに対してＩＤＴ電極部とは反対側に位置する圧電基板の縁部と、の間に形成されていることを特徴とする請求項１ないし３のいずれか一項に記載の弾性波フィルタ。
【請求項６】
前記入力側電極及び前記出力側電極は、前記第１の弾性波吸収部及び前記第２の弾性波吸収部により、その周囲全体が囲まれていることを特徴とする請求項１ないし５のいずれか一項に記載の弾性波フィルタ。
【請求項７】
前記第２の弾性波吸収部は、少なくとも入力側バスバーの長さ方向の中間部よりも出力側バスバーとは反対側の領域に設けられることを特徴とする請求項１ないし６のいずれか一項に記載の弾性波フィルタ。
【発明の詳細な説明】
【技術分野】
【０００１】
本発明は、弾性波フィルタ、例えばＳＡＷ(Surface  Acoustic  Wave)フィルタに関する。
【背景技術】
【０００２】
ＳＡＷフィルタは、圧電基板上にＩＤＴ（インターディジタルトランスデューサ）と呼ばれる電極指を配置し、電気信号と弾性波である弾性表面波との間の電気−機械相互変換を行って周波数選択（帯域フィルタ）特性を持たせたものである。広帯域フィルタを実現するＳＡＷフィルタの一つとして、傾斜型（テーパー）型のＩＤＴ電極部を用いた傾斜型ＩＤＴフィルタが知られている。
【０００３】
傾斜型ＩＤＴフィルタは、例えば図７に示すように、圧電基板１０１上に、各々傾斜型のＩＤＴ電極部を含む入力側電極部１０２と出力側電極部１０３とが、互いのカップリングを抑えるための金属膜からなるシールド１０４を挟んで形成されている。各々の電極部１０２、１０３において、弾性波の伝搬方向に対しては、電極指１０６のピッチが一定であるが、弾性波の伝搬方向に対して直交方向には、電極指１０６のピッチが一方のバスバー１０５から他方のバスバー１０５に向かって徐々に広がるように設計されている。従って、周期単位λが狭い領域に対応する高周波から周期単位λが広い領域に対応する低周波までの弾性波が伝搬することとなり、フィルタの広帯域化が図られている
【０００４】
一方、通信業界においてはＩＰ３（３次入力インターセプトポイント）についてのより一層の改善（一層の大きな値）が求められている。ＩＰ３は、横軸に入力信号レベル（ｄＢｍ）、縦軸に出力信号レベル（ｄＢｍ）をとった座標系において、主信号の入出力レベルのグラフと３次相互変調歪の入出力レベルのグラフとの各直線部分を延長させたときの交点である。従ってＩＰ３が大きくなるほど相互変調歪が少なくなり、通信エラーが少なくなるので、結果として通信速度が速くなる。
【０００５】
特許文献１には、傾斜型ＩＤＴフィルタにおいて圧電基板の端部領域に伝搬する不要な弾性波を吸収するためのダンパーが入力側テーパー型ＩＤＴ電極及び出力側テーパー型ＩＤＴ電極の並びの両端に配置されている構成が記載されているが、この構成では大きなＩＰ３を得ることができない。  
また特許文献２には、横モードを抑えるために、入力側電極部のバスバーにおける出力側電極部に寄った部位と、出力側電極部のバスバーにおける入力側電極部に寄った部位と、にダンパーを設けることが記載されているが、本発明の目的とは異なる。
【先行技術文献】
【特許文献】
【０００６】
【特許文献１】特開２０１３−２２３１７８（段落００１４）
【特許文献２】特開２００９−１６９６０（段落００１０、００３７）
【発明の開示】
【発明が解決しようとする課題】
【０００７】
本発明はこのような背景の下になされたものであり、その目的は、傾斜型のＩＤＴ電極部を備えた弾性波フィルタにおいて、良好なＩＰ３特性が得られ、通信エラーを抑えることができる技術を提供することにある。
【課題を解決するための手段】
【０００８】
本発明の弾性波フィルタは、
圧電基板上に配置され、互に平行に配置された一対の入力側バスバーの一方から他方に向かうにつれて電極指の間隔が狭くなる傾斜型のＩＤＴ電極部を含む入力側電極部と、
前記圧電基板上に前記入力側電極部に隣接して配置され、互に平行に配置された一対の出力側バスバーの一方から他方に向かうにつれて電極指の間隔が狭くなる傾斜型のＩＤＴ電極部を含む出力側電極部と、
前記入力側電極部に対して前記出力側電極部とは反対側に離れた位置と、前記出力側電極部に対して前記入力側電極部とは反対側に離れた位置と、に各々設けられた第１の弾性波吸収部と、
前記入力側バスバー及び出力側バスバーの各々におけるＩＤＴ電極部側の縁部と、各バスバーに対してＩＤＴ電極部とは反対側に位置する圧電基板の縁部と、の間に設けられた第２の弾性波吸収部と、を備え、
前記第２の弾性波吸収部は、少なくとも入力側バスバーの長さ方向の中間部よりも出力側バスバーとは反対側の領域と、少なくとも出力側バスバーの長さ方向の中間部よりも入力側バスバーとは反対側の領域と、に設けられていることを特徴とする。
【発明の効果】
【０００９】
本発明は、傾斜型のＩＤＴ電極部を備えた弾性波フィルタにおいて、入力側電極部及び出力側電極部の並びの両側に各々第１の弾性波吸収部を設けると共に、バスバー上またはバスバーよりも外側位置にてバスバーに沿って第２の弾性波吸収部を設けている。そして、第２の弾性波吸収部は、少なくともバスバーの長さ方向の中間部よりも第１の弾性波吸収部側に設けるように構成している。  
ＩＰ３の劣化は、各ＩＤＴから漏えいした不要波が圧電基板の縁部にて反射してＩＤＴに戻り、信号に重畳されることが要因の一つと考えられる。特に傾斜型のＩＤＴ電極部における不要波は、弾性波の進行方向と平行な方向だけでなく、バスバー側にも漏えいし、しかもＩＤＴ電極部の並び方向の外側に向かって戻る反射波が多いことから、第１の弾性波吸収部だけでなく第２の弾性波吸収部を設けることにより、不要波を有効に抑えることができる。
【図面の簡単な説明】
【００１０】
【図１】本発明の実施形態に係る弾性波フィルタの平面図である。
【図２】前記弾性波フィルタを構成する電極指の模式図である。
【図３】比較例の弾性波フィルタにおいて、弾性波が伝搬する様子を示す概略説明図である。
【図４】前記実施形態に係る弾性波フィルタにおいて弾性波が伝搬する様子を示す概略説明図である。
【図５】他の実施形態に係る弾性波フィルタの平面図である。
【図６】他の実施形態に係る弾性波フィルタの平面図である。
【図７】従来の弾性波フィルタの平面図である。
【発明を実施するための形態】
【００１１】
本発明の実施の形態に係る弾性波フィルタ１について、図１の平面図を参照しながら説明する。弾性波フィルタ１は傾斜型ＩＤＴフィルタとして構成され、圧電基板１１と、入力側電極部２１と、出力側電極部３１と、シールド１２と、ダンパー４１〜４５を備えており、圧電基板１１、入力側電極部２１、出力側電極部３１、シールド１２は、既述の図７に示した傾斜型フィルタの圧電基板１０１、入力側電極部１０２、出力側電極部１０３、シールド１０４と夫々同様の構成である。圧電基板１１上に入力側電極部２１、出力側電極部３１、シールド１２及びダンパー４１〜４５が設けられている。
【００１２】
圧電基板１１は長方形状に構成されている。入力側電極部２１及び出力側電極部３１は、シールド１２を挟むように弾性波の伝搬方向に沿って、互いに間隔をおいて設けられている。これらの入力側電極部２１、出力側電極部３１、シールド１２の配列方向は、圧電基板１１の長辺の形成方向に一致している。以降、説明の便宜上、圧電基板１１において入力側電極部２１が形成される側を左側、出力側電極３１が形成される側を右側とする場合がある。また、入力側電極部２１が左側に、出力側電極３１が右側に夫々位置するように圧電基板１１を平面で見たときの上側を前方側、下側を後方側として説明する場合がある。
【００１３】
入力側電極部２１について説明すると、図中２２、２３は互いに対となる入力側のバスバーであり、左右方向に沿って互いに平行に伸長するように形成されている。バスバー２２、２３は、前後方向に互いに離れて設けられている。バスバー２２は入力ポート１３に接続されており、バスバー２３は接地されている。バスバー２２からバスバー２３へ向けて、バスバー２３からバスバー２２へ向けて各々電極指２４が伸び出し、当該電極指２４は櫛歯状に多数形成されている。また、この多数の電極指２４は、バスバー２２、２３の伸長方向に対して傾斜して形成され、電極指群２５を構成する。この電極指群２５は、傾斜型のＩＤＴ電極部に相当する。また、電極指２４はＳＰＬＩＴ電極となるように２本が組となり、バスバー２２から伸び出した電極指２４の組と、バスバー２３から伸び出した電極指２４の組とが、左右方向に互い違いに配列されている。
【００１４】
図２も参照しながら電極指２４についてさらに説明すると、電極指２４は、弾性波の伝搬方向（左右方向）に対しては、幅と電極指２４、２４間の間隔とからなる配列パターンが一定となるように形成されている。また、電極指２４の配列パターンは、隣り合う一方側のバスバー２２から伸びる２本の電極指２４の組と、他方側のバスバー２３から伸びる２本の電極指２４の組と、からなる長さがλの周期単位が繰り返されるように配置されている。この弾性波フィルタ１では、この周期単位λの長さと同じ長さの波長の弾性波が伝搬することとなる。この例では、上記のように４本の電極指２４、詳しくは４本の電極指２４及び電極指２４、２４間の間隔領域により周期単位λを形成しているので、隣り合う電極指２４、２４では、電極指２４の中心を通る直線同士の間の寸法がλ／４となっている。また、この例では、電極指２４の幅をλ／８としているので、電極指２４、２４間の距離についてもλ／８（λ／４−λ／８＝λ／８）となっている。
【００１５】
また、電極指２４の配列パターンとしては、圧電基板１１の前方側（バスバー２２側）から後方側（バスバー２３側）に向かうにつれて電極指２４、２４間の間隔（ピッチ）が徐々に狭くなり、また各々の電極指２４の幅についても、前方側から後方側に向かうにつれて、徐々に狭くなるように形成されている。従って、弾性波の伝搬方向に対して直交する方向（前後方向）に見ると、異なる波長の弾性波が伝搬するように弾性波の伝搬路であるトラックが形成されており、それによって、弾性波フィルタ１としては比較的広い周波数帯域が得られるように構成されている。図２では伝搬する弾性波の波長が最も長いトラックをＴｒ１として示し、当該トラックＴｒ１における周期単位λをλmaxとしている。また、伝搬する弾性波の波長が最も短いトラックをＴｒ２として示し、当該トラックＴｒ２における弾性波の周期単位λをλminとして夫々示している。なお、図１では、電極指２４の幅及び電極指２４間の間隔について、図示が困難であることから一定の幅として描画してある。
【００１６】
図１に戻り、出力側電極部３１について説明する。出力側電極部３１は互いに対となるバスバー３２、３３を備えている。これらのバスバー３２、３３は出力側バスバーであり、入力側電極部２１のバスバー２２、２３の延長領域に夫々設けられている。バスバー３２は出力ポート１４に接続され、バスバー３３は接地されている。また、バスバー３２、３３からは、バスバー２２、２３と同様に、夫々対になるバスバー３３、３２に向けて電極指２４が多数伸び出すように設けられており、電極指群２５が形成されている。
【００１７】
この出力側電極部３１の電極指２４の配列パターン及び寸法については、既述の入力側電極部２１における配列パターン及び寸法と同じになるように形成されている。従って弾性波の伝搬方向に見たときには周期単位λが一定となり、また弾性波の伝搬方向に直交する方向に沿って見たときには、図２で説明したように周期単位λがトラックＴｒ１におけるλmaxからトラックＴｒ２におけるλminまで変化するように構成されている。
【００１８】
続いて第１の弾性波吸収部に相当するダンパー（吸収帯）４１、４２について説明する。ダンパー４１、４２は、入力側電極部２１に対して左側に離れた位置と、出力側電極部３１に対して右側に離れた位置とに夫々設けられ、圧電基板１１の左辺、右辺に沿って夫々直線状に設けられている。つまり、ダンパー４１、４２は、弾性波の進行方向に対して直交する方向に沿って設けられている。
【００１９】
ダンパー４１は、入力側電極部２１の電極指群２５から圧電基板１１の左側の縁部に向けて漏洩した弾性波を吸収する役割を有する。詳しく説明すると、前記電極指群２５から圧電基板１１の左側の縁部に漏洩して不要波となった弾性波が当該縁部で反射し、この反射波が入力側電極部２１及び出力側電極部３１の電極指群２５に伝搬した場合、この反射波に相当する信号が電極指群２５を本来通過する弾性波に相当する信号に重畳され、フィルタ特性が劣化することになる。この特性の劣化を防ぐためにダンパー４１を設け、上記のように圧電基板１１の左側の縁部へ弾性波が漏洩することを抑えている。
【００２０】
ダンパー４２は、ダンパー４１と同様の役割を有する。具体的には、出力側電極部３１の電極指群２５から圧電基板１１の右側の縁部に漏洩する不要波となった弾性波を吸収し、この不要波が当該右側の縁部で反射して入力側電極部２１及び出力側電極部３１の電極指群２５に伝搬することを防ぐ。このような目的から、ダンパー４１、４２は、夫々バスバー２２、２３の開口長（前後方向の間隔の大きさ）、バスバー３２、３３の開口長よりも前後方向に長く設けられている。
【００２１】
続いて第２の弾性波吸収部であるダンパー４３〜４５の役割について説明するために、図３の弾性波フィルタ１１０について先に説明する。この弾性波フィルタ１１０は本発明の比較例であり、ダンパー４３〜４５が設けられていないことを除いて、弾性波フィルタ１と同様に構成されている。なお、図示の煩雑化を防ぐために、各電極指２４の図示は省略している。本発明者は、弾性波フィルタ１１０において圧電基板１１の前方側及び後方側の端部の傷及び欠けによって、ＩＰ３の値が変化することを確認した。これは前記圧電基板１１の前方側及び後方側の端部に弾性波が漏洩しており、傷及び欠けによって当該端部において弾性波の反射具合が変化したために起きたものと考えられる。
【００２２】
図３を参照して弾性波の伝搬について更に説明する。なお、図３では矢印により、弾性波フィルタ１１０において考えられる弾性波の伝搬を矢印により極めて模式的に示している。ところで、図３及び後述の図４では、図が煩雑になることを防ぐために、入力側電極部２１側から出力側電極部３１側へ向けて伝搬する弾性波のみを矢印で示しているが、実際には出力側電極部３１側から入力側電極部２１側へも、入力側電極部２１側から出力側電極部３１側へ向かう伝搬と同様に弾性波の伝搬が起きる。従って、弾性波フィルタ１のダンパー４１〜４５は、入力側電極部２１側、出力側電極部３１側へ向かう各弾性波を効率良く吸収できるように配置されている。弾性波フィルタ１１０の説明に戻って、入力側電極部２１及び出力側電極部３１の一方から他方へ向けて、電極指２４の配列方向に沿って弾性波が伝搬する。電極指群２５における伝搬速度と、各バスバー２２，２３、３２、３３における伝搬速度との差により、弾性波は圧電基板１１の前方側の端部及び後方側の端部に向けて漏れ出す場合がある。
【００２３】
そして、圧電基板１１の前側及び後側の端部へ漏れ出した不要波が、各端部で反射されて入力側電極部２１、出力側電極部３１の各電極指群２５に向けて伝搬する。つまり、不要波が電極指群２５の電極指２４の並び方向の外側に向かって戻る。このように反射して電極指群２５に戻った不要波による信号が、電極指群２５を本来流れる信号に対して重畳されることによって、ＩＰ３の値が劣化すると考えられる。そこで弾性波フィルタ１では、圧電基板１１の前側の端部及び後側の端部へ漏洩した不要波及び当該前側の端部及び後側の端部で反射した不要波を吸収することによって、圧電基板１１の端部で反射した不要波が電極指２４へ伝播することを防ぐ目的で、ダンパー４３〜４５を設けている。
【００２４】
圧電基板１１を前方側、後方側へ向かう不要波は、圧電基板１１の左右の中心部側から左右の縁部側へ向けて伝搬されやすい。なお、図３では既述のように右側の縁部へ向かう弾性波のみ例示しているが、左側の縁部へも弾性波が伝搬する。そのために既述のように圧電基板１１の端部で反射した不要波（反射波）についても、圧電基板１１の左右の縁部に多く発生しやすい。従って、入力側電極部２１のバスバー２２、２３を左右に２分割して見た場合、右側よりも左側に反射波が集まりやすく、当該左側から入力側電極部２１の電極指群２５へ伝搬しやすい。また、出力側電極部３１のバスバー３２、３３を左右に２分割して見た場合、左側よりも右側に反射波が集まりやすく、当該右側から当該出力側電極部３１の電極指群２５へ反射波が伝搬しやすい。
【００２５】
図１に戻って、図中の点Ｐ、点Ｑはバスバー２２、２３の長さ方向の中間部を夫々示している。上記のように、点Ｐ、点Ｑの左側へ反射波が伝搬しやすいことから、当該反射波を多く吸収するために、ダンパー４３は点Ｐ、点Ｑよりも左側の領域に各々掛かるように設けられている。また、図中の点Ｒ、点Ｓはバスバー３２、３３の長さ方向の中間部を夫々示している。上記のように点Ｒ、点Ｓの右側へ反射波が伝搬しやすいことから、当該反射波を多く吸収するために、ダンパー４４は点Ｒ、点Ｓよりも右側の領域に各々掛かるように設けられている。
【００２６】
ダンパー４３、４４についてさらに説明する。ダンパー４３は、ダンパー４１の長さ方向の両端部から入力側電極部２１のバスバー２２、２３上へと各々伸び出し、バスバー２２、２３の長さ方向に沿って設けられている。つまり、ダンパー４３は図２で説明した弾性波の進行方向に平行に設けられ、ダンパー４３及びダンパー４１により概ねコの字が形成されている。この例では、ダンパー４３の端部は当該バスバー２２、２３上において前記点Ｐ、点Ｑよりも右側に位置している。ダンパー４４は、ダンパー４２の長さ方向の両端部から出力側電極部３１のバスバー３２、３３上へと各々伸び出し、バスバー３２、３３の長さ方向に沿って設けられている。つまり、ダンパー４４は前記弾性波の進行方向に平行に設けられ、ダンパー４２、４４により、概ねコの字が形成されている。この例ではダンパー４４の端部は当該バスバー３２、３３上において前記点Ｒ、点Ｓよりも左側に位置している。
【００２７】
また、シールド１２上の前方側、後方側にはダンパー４５が互いに離れて設けられており、当該ダンパー４５は、ダンパー４３、４４の延長方向に沿って設けられている。つまり、圧電基板１１の前辺、後辺に夫々沿うようにダンパー４３〜４５が間欠的に設けられている。ダンパー４５は、ダンパー４３、４４と同様に、圧電基板１１の前方側の端部、後方側の端部で各々反射した不要波及び反射する前の圧電基板の前方側、後方側へ向かう不要波を吸収する役割を有する。
【００２８】
圧電基板１１の前辺側に設けられたダンパー４３、４４、４５についての当該前辺に沿った長さを夫々Ｌ１、Ｌ２、Ｌ３とし、圧電基板１１の前辺の長さをＬ０とすると（図１参照）、反射波の電極指群２５への伝搬を十分に防ぐために、Ｌ０に対するＬ１＋Ｌ２＋Ｌ３は、４０％以上であることが好ましい。同様に、圧電基板１１の後辺側に設けられたダンパー４３、４４、４５についての左右の長さを夫々Ｌ１′、Ｌ２′、Ｌ３′とし、圧電基板１１の後辺の長さをＬ０′とすると、Ｌ０′に対するＬ１′＋Ｌ２′＋Ｌ３′は４０％以上であることが好ましい。この例では、Ｌ１＝Ｌ１′、Ｌ２＝Ｌ２′、Ｌ３＝Ｌ３′、Ｌ０＝Ｌ０′であり、図１ではＬ１′、Ｌ２′、Ｌ３′、Ｌ０′の表示は省略している。
【００２９】
また、確実に不要波を吸収するために、ダンパー４３〜４５の幅Ｌ４としては、図２で説明したλmax以上の長さとされる。同様にダンパー４１、４２の幅Ｌ５についても、λmax以上の長さとされる。この実施形態ではダンパー４３〜４５の幅は同一であり、またダンパー４１、４２の幅は互いに同一である。図１においては、代表してＬ４をダンパー４４の幅として、Ｌ５をダンパー４２の幅として夫々表示している。ダンパー４１〜４５は弾性波を吸収できるように、例えば樹脂などにより構成される。
【００３０】
このような弾性波フィルタ１において、入力側電極部２１に周波数信号が入力されると、即ち入力ポート１３とアースとの間に周波数信号が入力されると、弾性波が発生する。この弾性波には、弾性表面波（ＳＡＷ）が含まれる。そして、当該弾性波は、入力側電極部２１の電極指群２５において、その波長の長さに対応する周期単位λが形成されたトラックを電極指２４の配列方向に沿って伝搬し、出力側電極部３１へと伝搬する。そして出力側電極部３１において弾性波は、入力側電極部２１を伝搬するときと同様に、その波長の長さに対応する周期単位λが形成されたトラックを電極指２４の配列方向に沿って伝搬する。そして、出力ポート１４から周期単位λを波長として持つ信号が取り出される。
【００３１】
このように信号が取り出される過程において、図３で説明したように電極指２４の配列方向に沿って直進する弾性波の他に、バスバー２２、２３側及びバスバー３２、３３側へ向かう弾性波（不要波）が生じる。図４は、弾性波フィルタ１における弾性波の流れを、図３と同様に概略的に示しており、この図４も参照しながら説明する。上記の各バスバー２２、２３、３２、３３側へ向かう不要波が、ダンパー４３〜４５に接触すると吸収される。また、この不要波がダンパー４３〜４５で吸収されず、バスバー２２、３２よりも前方側、バスバー３２、３３よりも後方側に夫々漏れ出した場合は、既述のように圧電基板１１の前方側の端部、後方側の端部で夫々反射し、電極指群２５へ向かう。そして、この反射波が、電極指群２５へ向かう途中でダンパー４３〜４５に接触すると吸収される。
【００３２】
以上、説明した弾性波フィルタ１においては、既述のようにダンパー４１、４２を設けて、圧電基板１１において、弾性波の進行方向に沿った方向の端部へ漏洩する弾性波を吸収する。さらに、ダンパー４３、４４、４５をバスバー２２、２３、３２、３３と並行に設けて、これらのバスバー側に漏洩する弾性波、及びバスバー側に漏洩して圧電基板１１の端部で反射して電極指群２５へ戻る弾性波（反射波）を吸収する。それによって、弾性波フィルタ１を本来通過する信号に、前記反射波の信号が重畳されてしまうことを防ぐことができる。結果として、弾性波フィルタ１において、ＩＰ３が劣化することを抑えることができる。そのため、弾性波フィルタ１を備えた通信装置においては、通信エラーを防ぐことができるので、高速で通信を行うことができる。
【００３３】
以下、他の弾性波フィルタの構成例について、弾性波フィルタ１との差異点を中心に説明する。なお、以降の各図では図３、図４と同様に電極指２４の図示は省略している。図５に示す弾性波フィルタ５１は、ダンパー５２、５３を備えている。ダンパー５２は、ダンパー４１の一端部からダンパー４２の一端部に亘ってバスバー２２、３２の伸長方向に沿って設けられており、当該バスバー２２、３２、及びシールド１２上に設けられている。ダンパー５３は、ダンパー４１の他端部からダンパー４２の他端部に亘ってバスバー２３、３３の伸長方向に沿って設けられており、当該バスバー２３、３３、及びシールド１２上に設けられている。これらのダンパー５２、５３が、第２の弾性波吸収部に相当する。つまり、弾性波フィルタ１ではダンパー４１、４２間において間欠的に配置していた第２の弾性波吸収部を、弾性波フィルタ５１では連続的に配置している。このような配置によって、弾性波フィルタ５１における入力側電極部２１及び出力側電極部３１を夫々構成する各電極指群２５は、ダンパー４１、４２、５２、５３により、その周囲全体が囲まれている。
【００３４】
このような構成により、電極指群２５からバスバー２２、２３、３２、３３へと漏れ出した弾性波は、圧電基板１１の端部に向かって反射する前に必ずダンパー４１、４２、５２、５３のいずれかに接触することになる。従って、この弾性波フィルタ５１では、より確実に反射波の影響を抑え、ＩＰ３の劣化を抑えることができる。
【００３５】
ところで第２の弾性波吸収部は、各バスバー２２、２３、３２、３３上に設けることには限られない。図６に示す弾性波フィルタ５４では、前記ダンパー５２をバスバー２２、３２と圧電基板１１の前辺との間に形成し、ダンパー５２をバスバー２３、３３と圧電基板１１の後辺との間に形成している。このように圧電基板１１におけるダンパー５２、５３の配置が異なることを除いて、弾性波フィルタ５４は図５で説明した弾性波フィルタ５１と同様に構成されており、入力側電極部２１全体、出力側電極部３１全体及びシールド１４が、ダンパー４１、４２、５１、５２により、周囲全体を囲まれている。このような構成によって、弾性波フィルタ５４では、弾性波フィルタ５１と同様に、より確実にＩＰ３の劣化を抑えることができる。
【００３６】
上記の各例では、ダンパー５２、５３、４３、４４は、ダンパー４１、４２から伸び出している。つまり、ダンパー４１、４２にダンパー５２、５３、４３、４４が接続されているが、ダンパー５２、５３、４３、４４は、ダンパー４１、４２から離れるように設けてもよい。例えば、弾性波フィルタ１において、ダンパー４３、４４をダンパー４１、４２から離れるように設けて、ダンパー４３、４４の全部がバスバー２２、２３、３２、３３上に設けられるようにしてもよい。また、ダンパー４３、４４、５１、５２は、圧電基板１１の端部に設けてもよいし、各バスバーの電極指群２５寄りの端部に設けてもよい。つまり、各ダンパーは、電極指群２５に掛からないように、圧電基板１１の端部とバスバーの電極指群２５寄りの端部との間に設けることができる。また、圧電基板は概ね四角形であればよい。具体的には、例えば周縁部に欠けが存在していて概ね四角形である圧電基板も四角形の圧電基板であるものとする。
【符号の説明】
【００３７】
１      弾性波フィルタ
２１    入力側電極部
２２、２３、３２、３３      バスバー
２４      電極指
２５      電極指群
３１    出力側電極部
４１、４２、４３、４４、４５    ダンパー
【図１】
2016046574.tif 000003
【図２】
2016046574.tif 000004
【図３】
2016046574.tif 000005
【図４】
2016046574.tif 000006
【図５】
2016046574.tif 000007
【図６】
2016046574.tif 000008
【図７】
2016046574.tif 000009